(57)【要約】【課題】液体等を含有する生体モデルを用いて手術訓練を行う際の、生体モデルの取扱いを容易なものとすることができる生体モデルの収納容器を提供する。【解決手段】本発明の生体モデルの収納容器１は、開口部２ｂを有する容器本体２と、容器本体２に取り付けられて開口部２ｂを密閉する蓋部材３とを備え、生体モデルＭを液体Ｌとともに収納するものであって、生体モデルの収納容器１は、蓋部材３の容器本体２への着脱によって、生体モデルＭの上表面ＭＳと液体Ｌの液面ＬＳの少なくとも一方の、容器本体２の底部２ｄからの高さの高低を変化させる液位変動手段４を有し、液位変動手段４は、蓋部材３の容器本体２への取り付けによって、生体モデルＭの上表面ＭＳの高さＭＨを、液面ＬＳの高さＬＨに対して低くする一方で、蓋部材３の容器本体２からの取り外しによって、生体モデルＭの上表面ＭＳの高さＭＨを、液面ＬＳの高さＬＨに対して高くすることを特徴とするものである。【選択図】図２
2014114069.tif 000002
【特許請求の範囲】
【請求項１】
開口部を有する容器本体と、前記容器本体に取り付けられて前記開口部を密閉する蓋部材とを備え、生体モデルを液体とともに収納する生体モデルの収納容器であって、
前記生体モデルの収納容器は、前記蓋部材の前記容器本体への着脱によって、前記生体モデルの上表面と前記液体の液面の少なくとも一方の、前記容器本体の底部からの高さの高低を変化させる液位変動手段を有し、
前記液位変動手段は、前記蓋部材の前記容器本体への取り付けによって、前記生体モデルの上表面の高さを、液面の高さに対して低くする一方で、前記蓋部材の前記容器本体からの取り外しによって、前記生体モデルの上表面の高さを、液面の高さに対して高くすることを特徴とする生体モデルの収納容器。
【請求項２】
前記液位変動手段は、容器内部で前記容器本体の底部と前記生体モデルとの間に配設され、前記容器本体に取り付けた前記蓋部材により、圧縮され変形する弾性部材を有することを特徴とする請求項１に記載の生体モデルの収納容器。
【請求項３】
前記生体モデルの収納容器は、容器内部に、前記生体モデルを前記底部側から取り囲んで保持して、モデル配置スペースを区画する、前記弾性部材の変形・復元により該生体モデルとともに変位可能なモデル保持部材を有し、
前記モデル保持部材は、容器内部の、前記モデル配置スペースと、該モデル配置スペース以外のスペースとを連通させる液体用通路を有することを特徴とする請求項２に記載の生体モデルの収納容器。
【請求項４】
前記蓋部材は、該蓋部材の内表面に、前記モデル保持部材を押圧することによって、前記弾性部材を圧縮変形させる凸部を有することを特徴とする請求項３に記載の生体モデルの収納容器。
【請求項５】
前記液位変動手段は、前記容器本体の前記底部に設けた一方の磁石と、該一方の磁石と反発する位置に配置された他方の磁石とを有することを特徴とする請求項１に記載の生体モデルの収納容器。
【請求項６】
前記液位変動手段は、前記蓋部材の内表面に、前記容器本体の内部に向けて突出形成され、前記容器本体に該蓋部材を取り付けたときに、前記容器本体の内部の液中に入り込んで液面の高さを上昇させる液位変動突起部であることを特徴とする請求項１に記載の生体モデルの収納容器。
【発明の詳細な説明】
【技術分野】
【０００１】
本発明は、開口部を有する容器本体と、前記容器本体に取り付けられて前記開口部を密閉する蓋部材とを備え、生体モデルを液体とともに収納する生体モデルの収納容器に関するものである。
【背景技術】
【０００２】
外科手術における、血管、皮膚その他の生体組織の切開や縫合などの手技訓練では、倫理的な観点から、動物から採取した本物の生体組織に代えて、それらの生体組織を模擬して人工的に製造された生体モデルを用いることがある。そのような生体モデルとしては、高分子材料であるポリビニルアルコールやポリアクリルアミドなどの材料で形成されたものがあり（例えば、特許文献１）、このモデルでは、実際の外科手術の、生体組織の切開等の際に術者が受ける感触に近い硬さないし弾性などの物性や、濡れ性などの生体組織の表面性状が再現されている。
【０００３】
ここで、このような高分子材料のポリビニルアルコールなどを用いた生体モデルは、本物の生体組織に近い物性や表面性状をより忠実に再現するため、水等の液体を含有させて形成されるが、含有する液体が蒸発して生体モデルが乾燥すると、その物性や表面性状が変化して硬くなって収縮し、さらに、そのように乾燥した後は、液体への再度の浸漬によっても、収縮過程でのモデルの構造の破壊等が原因となって、乾燥前と全く同じ状態に戻すことが困難になるとともに、乾燥前と近い状態に戻すことにも多くの時間を要する。したがって、生体モデルの物性や表面状態を維持するため、生体モデルを使用に供するまでの間は、その全体を液体に浸漬させることのできる容器内に収納して、これを保存することが必要である。
【先行技術文献】
【特許文献】
【０００４】
【特許文献１】特開２０１０−１５６８９４号公報
【発明の概要】
【発明が解決しようとする課題】
【０００５】
ところで、上記のように容器内にその全体を液中に浸漬させて収納された生体モデルを、外科手術の手技の訓練に用いる際に、蓋部材と容器本体だけで構成される従来の一般的な容器では、生体モデルを容器内部から取り出す必要があるので、この取出し作業に手間がかかるという問題や、その取出し時に、生体モデルの周囲に付着し、または該モデルが含有する液体が訓練スペースでこぼれて、そこを汚すという問題があった。
【０００６】
本発明は、従来技術が抱えるこのような問題を解決することを課題とするものであり、その目的とするところは、液体等を含有する生体モデルを用いて手術訓練を行う際の、生体モデルの取扱いを容易なものとすることができる生体モデルの収納容器を提供することにある。
【課題を解決するための手段】
【０００７】
本発明の生体モデルの収納容器は、開口部を有する容器本体と、前記容器本体に取り付けられて前記開口部を密閉する蓋部材とを備え、生体モデルを液体とともに収納するものであって、前記生体モデルの収納容器は、前記蓋部材の前記容器本体への着脱によって、前記生体モデルの上表面と前記液体の液面の少なくとも一方の、前記容器本体の底部からの高さの高低を変化させる液位変動手段を有し、前記液位変動手段は、前記蓋部材の前記容器本体への取り付けによって、前記生体モデルの上表面の高さを、液面の高さに対して低くする一方で、前記蓋部材の前記容器本体からの取り外しによって、前記生体モデルの上表面の高さを、液面の高さに対して高くすることを特徴とするものである。
【０００８】
ここで、本発明の生体モデルの収納容器では、前記液位変動手段は、容器内部で前記容器本体の底部と前記生体モデルとの間に配設され、前記容器本体に取り付けた前記蓋部材により、圧縮され変形する弾性部材を有することが好ましい。
【０００９】
また、本発明の生体モデルの収納容器では、容器内部に、前記生体モデルを前記底部側から取り囲んで保持して、モデル配置スペースを区画する、前記弾性部材の変形・復元により該生体モデルとともに変位可能なモデル保持部材を有し、前記モデル保持部材は、容器内部の、前記モデル配置スペースと、該モデル配置スペース以外のスペースとを連通させる液体用通路を有することが好ましい。
この場合において、前記蓋部材は、該蓋部材の内表面に、前記モデル保持部材を押圧することによって、前記弾性部材を圧縮変形させる凸部を有することが好ましい。
【００１０】
さらにまた、本発明の生体モデルの収納容器では、前記蓋部材は、該蓋部材の内表面に、前記生体モデルを押圧することで、前記弾性部材を圧縮変形させる凸部を有することが好ましい。
【００１１】
ここで、本発明の生体モデルの収納容器では、前記液位変動手段は、前記容器本体の前記底部に設けた一方の磁石と、該一方の磁石と反発する位置に配置された他方の磁石とを有することが好ましい。
【００１２】
あるいは、本発明の生体モデルの収納容器では、前記液位変動手段は、前記蓋部材の内表面に、前記容器本体の内部に向けて突出形成され、前記容器本体に該蓋部材を取り付けたときに、前記容器本体の内部の液中に入り込んで液面の高さを上昇させる液位変動突起部であることもまた好ましい。
【発明の効果】
【００１３】
本発明の生体モデルの収納容器によれば、蓋部材の容器本体への着脱によって、生体モデルの上表面と液体の液面の少なくとも一方の、容器本体の底部からの高さの高低を変化させる液位変動手段を設けたことにより、容器内部に、生体モデルおよび液体を収納して容器本体に蓋部材を取り付けた場合は、液位変動手段が、生体モデルの上表面の高さを液面の高さよりも低くするべく機能するので、その生体モデルの全体を、液体中に浸漬させて収納することができる。
また、この容器に収納した生体モデルを用いて、例えば手術訓練を行うために、容器本体から蓋部材を取り外した場合は、液位変動手段が、生体モデルの上表面の高さを液面の高さよりも高くするべく機能して、その上表面が液面から表出するので、その状態で、生体モデルを手術訓練等に用いることが可能になり、それにより、容器内部からの生体モデルの取出し作業を省略することができて、生体モデルを速やかに使用することができる。
したがって、本発明の収納容器では、生体モデルを用いて手術訓練を行う際の、生体モデルの取扱いを容易なものとすることができる。
【図面の簡単な説明】
【００１４】
【図１】本発明の生体モデルの収納容器の第一の実施形態を、蓋部材を容器本体へ取り付けた状態、および容器本体から取り外した状態のそれぞれで示す、容器の高さ方向に沿う断面図である。
【図２】図１の収納容器で、容器内部にモデル保持部材を設けた場合の蓋部材の変形例を示す、図１と同様の図である。
【図３】図２の収納容器で、液位変動手段の変形例を、蓋部材を容器本体から取り外した状態で示す、図２と同様の図である。
【図４】本発明の生体モデルの収納容器の第二の実施形態を、蓋部材を容器本体へ取り付けた状態、および容器本体から取り外した状態のそれぞれで示す、容器の高さ方向に沿う断面図である。
【発明を実施するための形態】
【００１５】
以下、図面を参照して本発明の実施形態を詳細に例示説明する。
図１に例示する、本発明の第一の実施形態に係る生体モデルの収納容器１は、容器内部２ａに、生体モデルＭを液体Ｌとともに収納したものであって、図１の上方側に、開口部２ｂを有する容器本体２と、容器本体２の上端部に取り付けられて開口部２ｂを密閉する蓋部材３とを備えている。
【００１６】
ここで、生体モデルＭは、外科手術における生体組織または臓器、例えば、血管、皮膚、脂肪、筋肉などの切開や縫合などの手術訓練で用いるものであり、本物の生体組織または臓器を模擬して人工的に製造される。また、このような生体モデルＭは、形状、寸法等限定されるものではないが、容器１の高さ方向に直交する方向に沿う断面形状を、正方形もしくは長方形その他の多角形または、円形もしくは楕円形等として、全体としては、例えば、立方体、直方体、円柱体などの形状とすることができ、例えば、冠動脈バイパス手術の訓練に用いることができる冠動脈周辺の組織モデルは、直方体で、縦３０〜１５０ｍｍ、横１５〜６０ｍｍ、厚さ５〜２５ｍｍの大きさ（例えば、縦８０ｍｍ、横３０ｍｍ、厚さ１５ｍｍ）を有している。
なお、生体モデルＭとしては、上述の冠動脈周辺の組織モデルのような、血管等の組織をその周辺の組織とともに模擬したものに限らず、例えば、心臓等の臓器そのものを、心筋、冠動脈・静脈および脂肪等を含めて模擬したもの、あるいは、冠動脈吻合訓練のために、心筋、冠動脈、脂肪の一部（静脈なし）のみを模擬したものも用いることができる。
【００１７】
また、そのような生体モデルＭは、例えば、高分子材料のポリビニルアルコール、ポリアクリルアミド、シリコーン、ウレタンエラストマー、スチレンエラストマーなどの材料で形成することができ、また、実際の外科手術の、生体組織の切開等の際に術者が受ける感触に近い硬さなどの物性や、濡れ性などの生体組織の表面性状を再現するため、例えば、ビニルアルコール、アクリルアミド、アクリル酸、メタクリルアミド、メタクリル酸、ビニルピロリドン、メタクリル酸エステル、アクリル酸エステル、酢酸ビニル、Ｎ−イソプロピルアクリルアミド、Ｎ，Ｎ−ジメチルアクリルアミド、Ｎ−（３−ジメチルアミノプロピル）メタクリルアミド、Ｎ−（３−ジメチルアミノプロピル）アクリルアミド、Ｎ−メチロールアクリルアミド、メタクリル酸２−ヒドロキシエチル、Ｎ，Ｎジメチルメタクリルアミド、２−メタクリロイロキシエチルホスホリルコリン、２−ヒドロキシエチルメタクリレート、メチロールアクリルアミドなどのいずれかの１種の重合体、又はこれらを含む２種以上の共重合体などの材料に水などの液体を含有させて形成されたハイドロゲルを含ませて形成することもできる。また、生体モデルＭには、実際の生体組織の外観により近くするための色素、および、生体モデルＭ内のハイドロゲルの強度等を向上させることが可能な塩類、糖類など、各種添加剤を混合することができる。
さらに、容器内部２ａに収納した生体モデルＭの周囲を満たす液体Ｌとしては、例えば、水等、またはそれに抗菌剤等の添加剤を混合させたものを用いることができ、上述したハイドロゲルが含有する液体と同じものを使用することもできる。
【００１８】
ここで、図１に例示する生体モデルの収納容器１では、容器本体２を、一端側（図１では上方側）に開口部２ｂを有する円筒状の側壁部２ｃ、および、その側壁部２ｃに一体形成されて、側壁部２ｃの他端側（図１では下方側）を密閉する円盤状の底部２ｄで構成している。なおここでは、容器本体２の側壁部２ｃを、容器本体２の高さ方向（図１では上下方向）に直交する断面形状が円形で、開口部２ｂの径と実質的に同じ内径を有する略円筒形状としたが、この他に、側壁部２ｃは、例えば、内表面および外表面をともに、上記の断面で、楕円形もしくは長円形等の断面形状または、方形その他の多角形の断面形状を有する筒形状とすることも可能である。
【００１９】
ところで、容器内部２ａに収納した生体モデルＭは、その物性や表面状態の変化を招く乾燥を防止するため、全体を容器１内の液体Ｌに浸漬させる必要がある。一方、この生体モデルＭを用いて手術訓練等を行う場合、従来の容器では、容器内からの生体モデルＭの取出し作業に手間がかかって、生体モデルＭを速やかに使用することができなかった。
【００２０】
そこで、本発明の生体モデルの収納容器１では、図１に示すように、蓋部材３の、容器本体２への着脱によって、生体モデルＭの上表面ＭＳと液体Ｌの液面ＬＳとの少なくとも一方の、容器本体２の底部２ｄからの高さの高低を変化させる液位変動手段４を設ける。
この収納容器１によれば、容器内部２ａに、生体モデルＭおよび液体Ｌを収納して容器本体２に蓋部材３を取り付けた場合（図１（ａ））は、容器１を、開口部２ｂが上方を向くように水平面上に配置した状態で、液位変動手段４が、生体モデルＭの上表面ＭＳの高さＭＨを液面ＬＳの高さＬＨより低くするべく機能するので、その生体モデルＭの全体を、液中に浸漬させることができる。
また、この容器１に収納した生体モデルＭを用いて、例えば手術訓練を行うために、容器本体２から蓋部材３を取り外した場合（図１（ｂ））は、同様の、水平面上への容器１の配置状態で、液位変動手段４が、生体モデルＭの上表面高さＭＨを液面高さＬＨよりも高くするべく機能して、その上表面ＭＳが液面ＬＳから表出するので、生体モデルＭを、容器１から取り出さずにそのまま、手術訓練等に用いることが可能になる。それにより、容器内部２ａからの生体モデルＭの取出し作業を省略し、生体モデルＭを速やかに使用することができる。なおこの場合、図１（ｂ）に示すように、上表面ＭＳが液面ＬＳから表出した生体モデルＭの、液面ＬＳよりも下方側の部分は、液中に浸漬していることから、生体モデルＭを容器１から取り出して用いる場合に比して、生体モデルＭに含まれる液体の蒸発を抑制することができ、それゆえ、例えば手術訓練中の、生体モデルＭの物性や表面性状の変化を小さく抑えることができる。
【００２１】
ここにおいて、液位変動手段４は、先述のように、生体モデルＭの上表面ＭＳと液体Ｌの液面ＬＳとの少なくとも一方の、容器本体２の底部２ｄからの高さの高低を変化させるものであればよく、この液位変動手段４の一例としては、図１に示す第一の実施形態のように、容器内部２ａで容器本体２の底部２ｄと生体モデルＭとの間に挟み込んで配設されて、容器本体２に取り付けた蓋部材３により、図１（ａ）に示すように、生体モデルＭを介して高さ方向に圧縮され弾性変形する弾性部材４ａを用いることが好ましい。これによれば、図１（ａ）に示すように、容器本体２に蓋部材３を取り付けた場合は、蓋部材３の内表面上に設けた凸部３ａが、開口部２ｂよりも容器本体２の内部に入り込んで、生体モデルＭを介して弾性部材４ａを、容器１の高さ方向に圧縮変形させ、そして、弾性部材４ａのこの圧縮変形量の分だけ、生体モデルＭの上表面高さＭＨが低くなるとともに、その弾性部材４ａに含まれていた液体Ｌ（または弾性部材４ａが占有する領域に存在していた液体Ｌ）により、液体Ｌの液面高さＬＨが高くなる。一方、図１（ｂ）に示すように、容器本体２から蓋部材３を取り外した場合は、圧縮され弾性変形していた弾性部材４ａが復元することにより、生体モデルＭが上方に向けて押し上げられて、その上表面ＭＳの高さＭＨが高くなるとともに、弾性部材４ａの内部に液体Ｌが吸収されて（または弾性部材４ａが占有する領域により多くの液体Ｌが流入して）、液面ＬＳの高さが低くなり、それにより、生体モデルＭの上表面ＭＳを、液面ＬＳから表出させることができる。
【００２２】
なお、蓋部材３を容器本体２から取り外して、図１（ｂ）に示すように、弾性部材４ａによって押し上げられる生体モデルＭの上表面ＭＳは、容器本体２の開口部２ｂと略同一平面上にある図示の位置よりも容器の外側（上方側）の位置まで上昇することが好ましい。これによれば、手術訓練を行う際に、容器本体２の側壁部２ｃが妨げとならずに、開口部２ｂよりも上方側に位置する生体モデル上表面ＭＳに対して、メス等による模擬の切開等を行うことができる。
【００２３】
ここで、上述した弾性部材４ａを、内部に多数の細孔が存在する、液体Ｌの吸収および排出が可能な多孔質部材、いわゆるスポンジ４ｂとしたときは、容器本体２から蓋部材３を取り外した状態で、弾性部材４ａの内部に液体Ｌを保持することができるので、例えば、手術訓練をする際の、液面ＬＳの波立ちを抑えることができる。但し、弾性部材４ａとしては、スポンジ４ｂの他、図示は省略するが、一つ以上の、ばね（コイルばね、板ばね、皿ばね、渦巻きばね、竹の子ばね等）などを用いることができ、また、スポンジ４ｂ、およびばねを組み合わせて用いることもできる。
なお、生体モデルＭの大きさや重量、また生体モデルＭの、使用時の配置姿勢の安定性を考慮して、弾性部材４ａを、容器本体２の底部２ｄの内面の一部だけ、または全面にわたって配設することを選択したり、弾性部材４ａとしてのスポンジ４ｂないしコイルばね等の弾性力を調節したりすることができる。
【００２４】
図１に示す収納容器１では、蓋部材３を容器本体２に取り付けた場合、図１（ａ）に示すように、蓋部材３の内表面に設けた凸部３ａが生体モデルＭの上表面ＭＳを直接的に押圧することで、弾性部材４ａを圧縮変形させている。
これに対し、図２に示すところでは、容器内部２ａに、生体モデルＭを底部２ｄ側から取り囲んで保持して、弾性部材４ａの弾性により該生体モデルＭとともに容器１の高さ方向に変位可能なモデル保持部材５を設け、下端を底壁で密閉した筒状をなすこのモデル保持部材５の、開口する上端を、凸部３ａに当接させることとしたので、この場合は、蓋部材３の凸部３ａが生体モデルＭの上表面ＭＳを押圧せずに、生体モデルＭの物性および表面性状を維持することができる。
【００２５】
すなわち、図２に示す収納容器１では、モデル保持部材５が、生体モデルＭを底部２ｄ側から取り囲んで保持して、容器内部にモデル配置スペース５ａを区画することになり、図２（ａ）に示すように、蓋部材３を容器本体２に取り付けると、蓋部材３の凸部３ａがモデル保持部材５を押圧して、モデル保持部材５の底壁と容器本体２の底部２ｄとの間に挟まれる弾性部材４ａを圧縮変形させることができる。
また、蓋部材３を容器本体２から取り外せば、圧縮変形していた弾性部材４ａの復元により、モデル保持部材５を、そのモデル配置スペース５ａに配置された生体モデルＭとともに、容器本体２の開口部２ｂに向けて上昇させることができる。
【００２６】
なお、上述のモデル保持部材５を設ける場合は、容器内部２ａの、モデル配置スペース５ａと、該モデル配置スペース５ａ以外のスペースとを連通させる液体用通路５ｂを形成する。これによれば、蓋部材３の、容器本体２への着脱に伴って、生体モデルＭおよびモデル保持部材５が図の上下方向に変位しても、容器内部２ａの液体Ｌが液体用通路５ｂを流動することで、モデル配置スペース５ａの液体Ｌの液面高さとモデル配置スペース５ａ以外のスペースの液体Ｌの液面高さとが常に略等しくなるので、容器内部２ａにモデル保持部材５を配置した図２の収納容器１でも、液位変動手段４によって、生体モデルＭの上表面高さＭＨと、モデル配置スペース５ａの液面高さＬＨとのそれぞれを、所期したとおりに変化させることができる。
【００２７】
ここで、上述のモデル保持部材５としては、例えば、生体モデルＭを保持できる程度の大きさの内部空間を有し、円筒そのほかの筒状の側壁と、その側壁の下端を密閉する底壁とで構成される、全体としてカップ状の部材であって、その側壁および／または底壁に、上述した液体用通路５ｂとしての、一個以上の貫通孔５ｃないし一本以上のスリットを設けたもの、そのようなカップ状の部材であって、その側壁および底壁の少なくとも一方をメッシュ状としたもの、あるいは、モデル配置スペース５ａ内の、生体モデルＭと側壁または底壁との間に、上記の貫通孔５ｃから、生体モデルの上表面ＭＳと略同じ位置まで延びる煙突状の管を配置したもの等を用いることができる。なお、モデル保持部材５の、高さ方向に直交する断面形状は方形等とすることも可能であるが、容器内部２ａでのモデル保持部材５の配設位置のずれを防止するため、モデル保持部材５の側壁の外面の形状を、容器本体２の側壁部２ｃの内面の形状に倣った形状とし、さらに、モデル保持部材５の側壁の外径を、容器本体２の側壁部２ｃの内径より僅かに小さくすることが好ましい。
【００２８】
またここで、図２に示す収納容器１では、蓋部材３の内表面に、蓋部材３の容器本体２への取付けにより、モデル保持部材５の側壁の上端に、その周方向で部分的に当接する柱状または、その側壁の全周にわたって当接する環状の凸部３ａを設けること、または、図１に示すように、生体モデルＭの上表面ＭＳに当接する、例えば容器本体２の開口部２ｂの径より小さい外径を有する略円盤状の凸部３ａを設けることが好ましい。これによれば、液位変動手段４をより効果的に機能させることができる。
なお、凸部３ａが環状である場合には、環状の凸部３ａがモデル保持部材５の側壁に当接した際に、凸部３ａの径方向内側と外側とを連通する、例えば貫通孔やスリットなどの通路を形成させることで、凸部３ａの径方向内側と外側との空気の出入りを円滑にすることができる。
【００２９】
なおここで、容器本体２に蓋部材３を取り付けるため、例えば、図１に示すように、蓋部材３の外周部分３ｂに、その全周にわたって、蓋部材３の内表面から窪ませた環状溝３ｃを設けることができ、この場合は、その環状溝３ｃ内に、容器本体２の開口部２ｂ側の端部２ｅを嵌合させることにより、蓋部材３を取り付けることができる。あるいは、図２に示すように、蓋部材３の外周縁から容器本体２側に延びる筒状部分３ｄの内側面、および、容器本体２の開口部２ｂ側の外側面のそれぞれに設けた、互いに螺合する螺旋状の溝ないし突起の相互を螺合させることによっても、蓋部材３を容器本体２に取り付けることができる。図示は省略するが、蓋部材３と容器本体２との相互をクリップ部材等で挟み込んで固定することもでき、また、後述する図３に示すように、蓋部材１３の外周部分１３ｂと、容器本体１２の開口部１２ｂの周囲で外周側に拡がるフランジ状の端部１２ｆとの相互を、熱融着により固着させることもできる。
上述したいずれの取り付け状態においても、蓋部材３、１３を取り付けた容器本体２、１２の開口部２ｂでの液密性を確保するため、Ｏリングその他の公知のシール手段を用いることができる。
【００３０】
ところで、液位変動手段４は、上述の弾性部材４ａの他、図３に示すように、容器本体２の底部２ｄに設けた一方の磁石４ｄと、該一方の磁石４ｄと反発する位置に配置された他方の磁石４ｃとを有することが好ましい。これによれば、弾性部材４ａを用いたときと同様に、容器本体２に蓋部材３を取り付けた場合は、生体モデルＭの上表面高さＭＨが低くなるとともに、液体Ｌの液面高さＬＨが高くなり、また、容器本体２から蓋部材３を取り外した場合は、磁石４ｃ、４ｄの反発力によって生体モデルＭが上方に向けて押し上げられて、その上表面ＭＳの高さＭＨが高くなるとともに、液面ＬＳの高さＬＨが低くなり、それにより、生体モデルＭの上表面ＭＳを、液面ＬＳから表出させることができる。なお、図３に示すところでは、一方の磁石４ｄを、容器本体２の底部２ｄに配置させ、他方の磁石４ｃをモデル保持部材５の底壁の下面側に配置させているが、一方の磁石４ｄを底部２ｄの内部に埋設すること、あるいは、他方の磁石４ｃを、底部２ｄおよび生体モデルＭの間に、モデル保持部材５を介して、もしくは介さずに配置し、または、モデル保持部材５、もしくは生体モデルＭに埋設すること等もできる。
【００３１】
さらに、生体モデルＭを用いて手術訓練を行う際に、生体モデルＭの位置ずれを防止するため、生体モデルＭの、容器本体２の高さ方向に直交する方向への移動を規制する手段を用いることが好ましい。この規制手段としては、例えば、生体モデルＭとモデル保持部材５と弾性部材４ａと容器本体２の底部２ｄと側壁部２ｃとのそれぞれの相互の接触面間に介在させる接着剤もしくは、摩擦抵抗が大きい凹凸形状の表面を有するシート状部材を用いること、容器本体２の側壁部２ｃの内面および／またはモデル保持部材５の側壁の内外面のそれぞれから突出形成された複数個の突起であって、それら突起の突出量を含めた、容器本体２の側壁部２ｃの内径とモデル保持部材５の側壁の外径との差を僅かにする突起を用いること、および、容器本体２の底部２ｄまたは側壁部２ｃに設けた、生体モデルＭに突き刺さるとともに抜けるのを防止する返しを有する突起を用いること等を挙げることができる。また、図３に示すように、液位変動手段４としての磁石を採用する場合、この規制手段としては、生体モデルＭ内の底面付近に磁性材料５ｄを含有させることもでき、これにより、モデル保持部材５に配置した他方の磁石４ｃと磁性材料５ｄとが引き合い、生体モデルＭとモデル保持部材５とを固定することができる。
【００３２】
なお、上述した容器本体２、１２、蓋部材３、１３、モデル保持部材５等を形成する材料としては、例えば、ポリエチレン、ポリプロピレン、エチレン−プロピレン共重合体、エチレン−酢酸ビニル共重合体（ＥＶＡ）、ポリ塩化ビニル、ポリ塩化ビニリデン、ポリスチレン、ポリアミド、ポリイミド、ポリアミドイミド、ポリカーボネート、ポリ−（４−メチルペンテン−１）、アイオノマー、アクリル系樹脂、ポリメチルメタクリレート、アクリロニトリル−ブタジエン−スチレン共重合体（ＡＢＳ樹脂）、アクリロニトリル−スチレン共重合体（ＡＳ樹脂）、ブタジエン−スチレン共重合体、ポリエチレンテレフタレート（ＰＥＴ）、ポリブチレンテレフタレート（ＰＢＴ）、ポリシクロヘキサンテレフタレート（ＰＣＴ）、ポリエーテル、ポリエーテルケトン（ＰＥＫ）、ポリエーテルエーテルケトン（ＰＥＥＫ）、ポリエーテルイミド、ポリアセタール（ＰＯＭ）、ポリフェニレンオキシド、変性ポリフェニレンオキシド、ポリサルフォン、ポリエーテルサルフォン、ポリフェニレンサルファイド、ポリアリレート、芳香族ポリエステル（液晶ポリマー）、ポリテトラフルオロエチレン、ポリフッ化ビニリデン、その他フッ素系樹脂等の各種樹脂材料、あるいはこれらのうちの一種以上を含むブレンド体、ポリマーアロイ等を挙げることができる。また、その他にも、各種ガラス材、セラミックス材料、金属材料で構成することも可能である。
【００３３】
以上に述べたような、図１に示す収納容器１の使用方法を以下に説明する。
収納容器１の容器内部２ａに、生体モデルＭを収納するに当たっては、蓋部材３を取り付ける前の容器本体２の内部で、底部２ｄ側に配設した液位変動手段４としての弾性部材４ａの上側に、生体モデルＭを配置するとともに、容器本体２の内部に、所定量の液体Ｌを供給する。その後、蓋部材３を容器本体２に取り付けて、該蓋部材３で開口部２ｂを密閉する。このとき、蓋部材３の容器本体２の開口部２ｂから内部に入り込む凸部３ａが、生体モデルＭを上表面ＭＳから押圧するとともに、生体モデルＭと底部２ｄとの間に挟まれた弾性部材４ａを圧縮変形させて、容器本体２の底部２ｄからの、生体モデルＭの上表面高さＭＨが、液体Ｌの液面高さＬＨよりも低くなる。
このようにして容器１に収納された生体モデルＭは、容器本体２から蓋部材３を取り外す作業だけを行うことにより、例えば手術訓練等に用いることができる。この蓋部材３の取外し作業により、弾性部材４が復元して、生体モデルＭの上表面高さＭＨを、液面高さＬＨよりも高くすることができる。
【００３４】
なお、図２に示す収納容器１では、生体モデルＭの容器本体２の内部への配置に先立って、容器内部２ａにモデル保持部材５を、弾性部材４ａを底部２ｄとの間で挟み込んで配置し、あるいは、予め、生体モデルＭをモデル保持部材５に配置して、該モデル保持部材５を、弾性部材４ａを底部２ｄとの間で挟み込んで配置することが必要になる。
【００３５】
続いて、本発明の生体モデルの収納容器１１の第二の実施形態について例示説明するが、ここでは、第一の実施形態と同様の構成についての説明は省略する。
図４に例示する収納容器１１の側壁部１２ｃは、容器本体１２の高さ方向の全体にわたって、その高さ方向に直交する断面の内外輪郭形状が方形をなす角筒形状を有し、また、側壁部１２ｃと一体形成される底部１２ｄは、側壁部１２ｃの形状と対応する方形の板状をなす。なお、この容器１１においても、第一の実施形態と同様に、側壁部１２ｃの、高さ方向に直交する断面形状を、方形以外の多角形状または、真円、楕円、長円その他の円形状等とすることも可能である。
【００３６】
ここにおいて、図４に示す収納容器１１では、蓋部材１３の内表面に、容器本体１２の内部に向けて突出する液位変動突起部１４ｃを形成し、液位変動手段１４としてのこの液位変動突起部１４ｃが、該蓋部材１３を取り付けた容器本体１２の内部の、生体モデルの配置領域から外れる領域で液中に入り込んで、液面ＬＳ高さを上昇させるべく機能する。液位変動突起部１４ｃは、蓋部材１３に突出形成されていることから、蓋部材１３の、容器本体１２への取付けと同時に、図４（ａ）に示すように液中に入り込むことになり、その分の液体Ｌを押しのけて、液面高さＬＨを生体モデルＭの上表面高さＭＨよりも上昇させ、この一方で、図４（ｂ）に示すように、容器本体１２から蓋部材１３を取り外した場合は、その押しのけられていた液体Ｌが、液位変動突起部１４ｃが入り込んでいた領域に戻るので、液面高さＬＨを生体モデルＭの上表面高さＭＨよりも低下させる。
【００３７】
液位変動突起部１４ｃは、図４に示すように、容器本体１２への蓋部材１３の取付け状態で、生体モデルＭの周囲に位置して、容器本体１２の深さと略同等もしくは、該深さよりも短い長さの柱状部分１４ｄとすることができ、一本または複数本の該柱状部分１４ｄは、蓋部材１３を取り付けた状態で、生体モデルＭと容器本体１２の側壁部１２ｃとの間で、例えば角筒状をなす側壁部１２ｃの角部に位置するように、蓋部材１３の内表面に配置することができる。なお、液位変動突起部１４ｃとしての柱状部分１４ｄの長さ、形状、配置位置等は、これに限定されず、容器内部１２ａに収納する生体モデルＭの形状、寸法等に適したものにすることができる。
あるいは、液位変動突起部１４ｃを、生体モデルＭの周囲を全周にわたって取り囲む環状部分とすることもできる。なお、液位変動突起部１４ｃが環状部分である場合には、該環状部分の内側と外側とを連通する、例えば貫通孔やスリットなどの通路を形成させることで、該環状部分の内側と外側との空気の出入りを円滑にすることができる。
【００３８】
また、第二の実施形態の、蓋部材１３の容器本体１２への取付けは、第一の実施形態で先述したような様々な態様とすることができる。なお、蓋部材１３に上記の柱状部分１４ｄを設けた容器１１で、側壁部１２ｃを円筒形状とし、蓋部材１３を容器本体１２に、螺合により取り付ける態様とする場合は、蓋部材１３を容器本体１２に対して回転させて取り付ける際に、上述の柱状部分１４ｄが、蓋部材１３の回転に伴って、容器本体１２の軸線の周りを周回することになるので、容器内部１２ａで、例えば、生体モデルＭを配置するスペースの周囲に柱状部分１４ｄの周回スペースを確保しておくことが好ましい。
【００３９】
以上、図面を参照して本発明の実施形態を説明したが、本発明の生体モデルの収納容器は、上述の第一および第二の実施形態に限定されることはなく、本発明の生体モデルの収納容器には、適宜変更を加えることができる。
【産業上の利用可能性】
【００４０】
本発明によれば、液体等を含有する生体モデルを用いて手術訓練を行う際の、生体モデルの取扱いを容易なものとすることができる生体モデルの収納容器を提供することができる。
【符号の説明】
【００４１】
１、１１  生体モデルの収納容器、収納容器、容器
２、１２  容器本体
２ａ、１２ａ  容器内部
２ｂ、１２ｂ  開口部
２ｃ、１２ｃ  側壁部
２ｄ、１２ｄ  底部
２ｅ  端部
１２ｆ  （フランジ状の）端部
３、１３  蓋部材
３ａ  突起部
３ｂ、１３ｂ  （蓋部材の）外周部分
３ｃ  環状溝
３ｄ  筒状部分
４、１４  液位変動手段
４ａ  弾性部材
４ｂ  スポンジ
４ｃ  他方の磁石
４ｄ  一方の磁石
１４ｃ  液位変動突起部
１４ｄ  柱状部分
５  モデル保持部材
５ａ  モデル配置スペース
５ｂ  液体用通路
５ｃ  貫通孔
５ｄ  磁性材料
Ｍ  生体モデル
ＭＨ  （生体モデルの上表面の）高さ
ＭＳ  （生体モデルの）上表面
Ｌ  液体
ＬＨ  （液体の液面の）高さ
ＬＳ  （液体の）液面
【図１】
2014114069.tif 000003
【図２】
2014114069.tif 000004
【図３】
2014114069.tif 000005
【図４】
2014114069.tif 000006